(57)【特許請求の範囲】
【請求項１】
軸受部によって回転可能に軸支されたシャフトを有し、該シャフトを回転軸として駆動源によって回転駆動される回転部と、該回転部の外周側に設けられたインペラ部とを備えたファンモータであって、
前記シャフトには、その軸線方向に沿って貫通孔が設けられており、該貫通孔には支柱が挿通され、
当該ファンモータは、電子機器の機器筐体の内部に配置されるものであり、
前記支柱は、前記貫通孔を挿通した状態で当該ファンモータの一面側及び他面側にある前記機器筐体の一壁面及び他壁面に対して同時に当接可能であり、
前記機器筐体に外力が付与されていない状態では、前記支柱は少なくとも前記機器筐体の一壁面又は他壁面から離間しており、
前記機器筐体に外力が付与されて前記機器筐体が撓んだ場合に、前記支柱が前記機器筐体の一壁面及び他壁面に対して同時に当接した状態となることを特徴とするファンモータ。
【請求項２】
軸受部によって回転可能に軸支されたシャフトを有し、該シャフトを回転軸として駆動源によって回転駆動される回転部と、該回転部の外周側に設けられたインペラ部とを備えたファンモータであって、
前記シャフトには、その軸線方向に沿って貫通孔が設けられており、該貫通孔には支柱が挿通され、
当該ファンモータは、電子機器の機器筐体の内部に配置されるものであり、
前記支柱は、前記貫通孔を挿通した状態で当該ファンモータの一面側及び他面側にある前記機器筐体の一壁面及び他壁面に対して同時に当接可能であり、
前記回転部及び前記インペラ部の一面側を覆う第１カバー板及び他面側を覆う第２カバー板を有するファン筐体を備え、
前記第１カバー板及び前記第２カバー板には、少なくとも前記シャフトと重なる位置に開口部が形成されており、
前記支柱は、前記第１カバー板及び前記第２カバー板の開口部を通って前記機器筐体の一壁面及び他壁面に当接するものであり、
前記支柱は、前記ファン筐体に支持されていることを特徴とするファンモータ。
【請求項３】
請求項２記載のファンモータにおいて、
前記機器筐体に外力が付与されていない状態では、前記支柱は少なくとも前記機器筐体の一壁面又は他壁面から離間しており、
前記機器筐体に外力が付与されて前記機器筐体が撓んだ場合に、前記支柱が前記機器筐体の一壁面及び他壁面に対して同時に当接した状態となることを特徴とするファンモータ。
【請求項４】
請求項２又は３記載のファンモータにおいて、
一端が前記ファン筐体の外縁部に支持される複数の脚部と、各脚部の他端同士を前記シャフトの軸線方向と重なる位置で連結することで前記シャフトの軸線方向に弾性的に変位可能に設けられた連結部とを有する支持体を備え、
前記支柱は、前記支持体の連結部から突出していることを特徴とするファンモータ。
【請求項５】
請求項２記載のファンモータにおいて、
前記支柱は、前記機器筐体の一壁面及び他壁面に対して常に当接した状態であることを特徴とするファンモータ。
【請求項６】
請求項１〜５のいずれか１項に記載のファンモータにおいて、
前記駆動源は、前記軸受部の外周側に設けられた固定子と、該固定子の外周側に設けられ、前記回転部に固着された回転子とを有するアウターロータ型のモータであることを特徴とするファンモータ。
【請求項７】
請求項６記載のファンモータにおいて、
前記軸受部は、円筒状部材の内周面で円筒状の前記シャフトを回転可能に軸支していることを特徴とするファンモータ。
【請求項８】
発熱体及び該発熱体の冷却に用いるファンモータを機器筐体の内部に収納した電子機器であって、
前記ファンモータは、軸受部によって回転可能に軸支されたシャフトを有し、該シャフトを回転軸として駆動源によって回転駆動される回転部と、該回転部の外周側に設けられたインペラ部とを備え、
前記シャフトには、その軸線方向に沿って貫通孔が設けられており、
前記貫通孔には支柱が挿通されると共に、該支柱は前記貫通孔を挿通した状態で前記ファンモータの一面側及び端面側にある前記機器筐体の一壁面及び他壁面に対して同時に当接可能であり、
前記機器筐体に外力が付与されていない状態では、前記支柱は少なくとも前記機器筐体の一壁面又は他壁面から離間しており、
前記機器筐体に外力が付与されて前記機器筐体が撓んだ場合に、前記支柱が前記機器筐体の一壁面及び他壁面に対して同時に当接した状態となることを特徴とする電子機器。
【請求項９】
発熱体及び該発熱体の冷却に用いるファンモータを機器筐体の内部に収納した電子機器であって、
前記ファンモータは、軸受部によって回転可能に軸支されたシャフトを有し、該シャフトを回転軸として駆動源によって回転駆動される回転部と、該回転部の外周側に設けられたインペラ部とを備え、
前記シャフトには、その軸線方向に沿って貫通孔が設けられており、
前記貫通孔には支柱が挿通されると共に、該支柱は前記貫通孔を挿通した状態で前記ファンモータの一面側及び端面側にある前記機器筐体の一壁面及び他壁面に対して同時に当接可能であり、
前記ファンモータは、前記回転部及び前記インペラ部の一面側を覆う第１カバー板及び他面側を覆う第２カバー板を有するファン筐体を備え、
前記第１カバー板及び前記第２カバー板には、少なくとも前記シャフトと重なる位置に開口部が形成されており、
前記支柱は、前記第１カバー板及び前記第２カバー板の開口部を通って前記機器筐体の一壁面及び他壁面に当接するものであり、
前記支柱は、前記ファン筐体に支持されていることを特徴とする電子機器。
【請求項１０】
請求項８又は９記載の電子機器において、
当該電子機器は、前記機器筐体の一面側にキーボード装置を有し、
前記ファンモータは、少なくとも前記シャフトが前記キーボード装置の下方となる位置に配設されていることを特徴とする電子機器。 
【発明の詳細な説明】
【技術分野】
【０００１】
本発明は、機器の冷却に使用されるファンモータ及び該ファンモータを備えた電子機器に関する。
【背景技術】
【０００２】
ノート型パーソナルコンピュータ（ノート型ＰＣ）等の電子機器には、その機器筐体の内部にＣＰＵやグラフィックチップ等の発熱体が配設されている。そこで、電子機器の機器筐体の内部には、これらの発熱体を冷却するためのファンモータが搭載されることがある。
【０００３】
例えば、特許文献１には、電子機器の冷却に用いるファンモータとして、外周側にインペラ部を設けた回転部の中心に設けたシャフトを軸受部の内周面で軸支し、軸受部の外周側に固定子を配設すると共に、その外周側に回転部に固定された固定子を配設したアウターロータ型のファンモータが開示されている。このファンモータは、回転部やインペラ部をファン筐体の内部に収容しており、ファン筐体の上プレート部の中央には、外部の空気を吸込むための吸気口が開口形成されている。
【先行技術文献】
【特許文献】
【０００４】
【特許文献１】特開２０１３−１１７３００号公報
【発明の概要】
【発明が解決しようとする課題】
【０００５】
ところで、近年、ノートブック型ＰＣ等の電子機器では、薄型化の要望が大きくなっている。そのため、機器筐体やその内部に配設されるファンモータ等の機器も薄型化が進められており、機器筐体と機器との間の隙間も小さなものとなってきている。このため、例えば、使用者がキーボード装置を強く押下操作したり、機器筐体の上下面を掴むように把持したりした場合には、機器筐体が内側に撓み、機器筐体の壁面が内部の機器に干渉する可能性がある。
【０００６】
従って、上記特許文献１のファンモータをこのような電子機器に搭載した場合には、撓んだ機器筐体によってファン筐体の上面が押圧され、或いはこの上面に開口した吸気口の内側へと機器筐体が入り込み、ファンモータの回転部と干渉する可能性がある。機器筐体とファンモータとが干渉すると、その円滑な回転が阻害され、或いは回転ができなくなり、干渉の度合いによってはファンモータが変形し、破損してしまう懸念もある。
【０００７】
本発明は、上記従来技術の課題を考慮してなされたものであり、外力を受けた場合であっても安定した回転を維持することができるファンモータ及び該ファンモータを備えた電子機器を提供することを目的とする。
【課題を解決するための手段】
【０００８】
本発明に係るファンモータは、軸受部によって回転可能に軸支されたシャフトを有し、該シャフトを回転軸として駆動源によって回転駆動される回転部と、該回転部の外周側に設けられたインペラ部とを備えたファンモータであって、前記シャフトには、その軸線方向に沿って貫通孔が設けられており、該貫通孔には支柱が挿通されることを特徴とする。
【０００９】
このような構成によれば、シャフトには、その軸線方向に沿って貫通孔が設けられると共に該貫通孔には支柱が挿通される。これにより、シャフトの貫通孔を挿通した支柱を当該ファンモータの一面側及び他面側へと突出させることで、ファンモータが搭載される機器の筐体が外力を受けて潰れ変形した場合にも支柱が機器筐体に対する突っ張り棒となる。このため、機器筐体のそれ以上の撓みが阻止され、機器筐体が回転部及びインペラ部に干渉することが防止される。従って、ファンモータの円滑な回転が阻害され、或いは回転ができなくなり、さらにはファンモータが変形して破損することを防止でき、安定した回転を維持することができる。
【００１０】
当該ファンモータは、電子機器の機器筐体の内部に配置されるものであり、前記支柱は、前記貫通孔を挿通した状態で当該ファンモータの一面側及び他面側にある前記機器筐体の一壁面及び他壁面に対して同時に当接可能であると、支柱を機器筐体内で突っ張り棒としてより確実に機能させることができる。
【００１１】
前記機器筐体に外力が付与されていない状態では、前記支柱は少なくとも前記機器筐体の一壁面又は他壁面から離間しており、前記機器筐体に外力が付与されて前記機器筐体が撓んだ場合に、前記支柱が前記機器筐体の一壁面及び他壁面に対して同時に当接した状態となることが好ましい。そうすると、機器筐体に外力が付与されていな通常時には、支柱が機器筐体の内部で突っ張らないため、ファンモータの機器筐体への組付作業時に支柱が機器筐体と干渉することを回避でき、部品精度がある程度ばらついた場合であってもファンモータの機器筐体への円滑な組付作業が可能となる。
【００１２】
前記回転部及び前記インペラ部の一面側を覆う第１カバー板及び他面側を覆う第２カバー板を有するファン筐体を備え、前記第１カバー板及び前記第２カバー板には、少なくとも前記シャフトと重なる位置に開口部が形成されており、前記支柱は、前記第１カバー板及び前記第２カバー板の開口部を通って前記機器筐体の一壁面及び他壁面に当接する構成であるとよい。これにより、機器筐体が外力を受けて変形した場合にも、支柱によってファン筐体に機器筐体が干渉することを防止でき、ファンモータの回転をより安定して維持することができる。
【００１３】
前記支柱は、前記ファン筐体に支持されていることが好ましい。そうすると、ファンモータと支柱とを一体的に組み立てることができる。これにより、シャフトの貫通孔と支柱の位置関係を予め固定することができ、ファンモータを電子機器に組み付けた際にもこの位置関係がずれを生じることがなく、ファンモータの組付作業が容易になる。
【００１４】
一端が前記ファン筐体の外縁部に支持される複数の脚部と、各脚部の他端同士を前記シャフトの軸線方向と重なる位置で連結することで前記シャフトの軸線方向に弾性的に変位可能に設けられた連結部とを有する支持体を備え、前記支柱は、前記支持体の連結部から突出しているとよい。そうすると、支柱をシャフトの軸線方向に変位可能な状態で支持しておくことができ、ファンモータの機器筐体への組付作業がより円滑となり、しかも支柱による突っ張り棒としての作用を確実に発揮させることができる。
【００１５】
前記支柱は、前記機器筐体の一壁面及び他壁面に対して常に当接した状態であってもよい。そうすると、より簡素な構造で支柱による突っ張り棒の作用を得ることができる。
【００１６】
前記駆動源は、前記軸受部の外周側に設けられた固定子と、該固定子の外周側に設けられ、前記回転部に固着された回転子とを有するアウターロータ型のモータであってもよい。
【００１７】
前記軸受部は、円筒状部材の内周面で円筒状の前記シャフトを回転可能に軸支していてもよい。
【００１８】
本発明に係る電子機器は、発熱体及び該発熱体の冷却に用いるファンモータを機器筐体の内部に収納した電子機器であって、前記ファンモータは、軸受部によって回転可能に軸支されたシャフトを有し、該シャフトを回転軸として駆動源によって回転駆動される回転部と、該回転部の外周側に設けられたインペラ部とを備え、前記シャフトには、その軸線方向に沿って貫通孔が設けられており、前記貫通孔には支柱が挿通されると共に、該支柱は前記貫通孔を挿通した状態で前記ファンモータの一面側及び端面側にある前記機器筐体の一壁面及び他壁面に対して同時に当接可能であることを特徴とする。
【００１９】
このような構成によれば、ファンモータによって機器筐体の内部の発熱体を冷却することができ、しかも機器筐体の内部での支柱の突っ張り棒としての作用によってファンモータの安定した回転を維持することができる。
【００２０】
当該電子機器は、前記機器筐体の一面側にキーボード装置を有し、前記ファンモータは、少なくとも前記シャフトが前記キーボード装置の下方となる位置に配設されていてもよい。そうすると、キーボード装置の操作時の押圧力が大きく、該キーボード装置が下方に撓んだ場合であっても支柱の作用によって変形したキーボード装置がファンモータに干渉することを防止できるため、ファンモータによる冷却が不安定になることがなく、電子機器の安定した使用が可能となる。
【発明の効果】
【００２１】
本発明によれば、支柱によって機器筐体の過度な撓みを阻止することができるため、機器筐体がファンモータに干渉することを防止して、ファンモータの安定した回転を維持することができる。
【図面の簡単な説明】
【００２２】
【図１】図１は、本発明の一実施形態に係るファンモータを備えた電子機器の一部分解斜視図である。
【図２】図２は、ファンモータの斜視図である。
【図３】図３は、ファンモータに支持体を取り付けた状態での斜視図である。
【図４】図４は、支持体を取り付けたファンモータを電子機器に搭載した状態での縦断面図である。
【図５】図５は、図４に示すファンモータの中央付近を拡大した縦断面図である。
【図６】図６は、図５に示すファンモータを搭載した機器筐体に外力が付与された状態を示す縦断面図である。
【図７】図７は、別の構成例のファンモータを電子機器に搭載した状態での縦断面図である。
【発明を実施するための形態】
【００２３】
以下、本発明に係るファンモータについて、このファンモータを備えた電子機器との関係で好適な実施の形態を挙げ、添付の図面を参照しながら詳細に説明する。
【００２４】
図１は、本発明の一実施形態に係るファンモータ１０を備えた電子機器１２の一部分解斜視図であり、キーボード装置１４を本体部１６から取り外した状態を示している。
【００２５】
図１に示すように、電子機器１２は、上面側に入力装置であるキーボード装置１４を搭載した本体部１６と、本体部１６のディスプレイとなる表示部１８とを備えたノート型ＰＣである。ファンモータ１０を適用可能な電子機器としては、ノートブック型ＰＣ以外にもデスクトップ型ＰＣやゲーム機器、さらには家電機器等、各種機器を例示できる。また、図１では、ファンモータ１０を横置きで搭載した構成を例示したが、ファンモータ１０は縦置きや斜め置き等、各種姿勢で使用可能である。
【００２６】
本体部１６は、箱状の機器筐体２０と、機器筐体２０に収容されたマザーボード等の電子回路基板である本体基板２２とを有する。ファンモータ１０は、機器筐体２０の内部の左奥側角部に配置されて本体基板２２に取り付けられている。ファンモータ１０は、その一側面に開口した送風口２４が、機器筐体２０の側面に複数のスリットで設けて形成した排気口２６と対向するように設置される。本体基板２２には、ＣＰＵ（中央演算装置）２２ａの他、図示しないチップセットやメモリが搭載されている。ＣＰＵ２２ａは、本体基板２２に搭載された機器のうちでも発熱量の大きな発熱体である。そこで、ファンモータ１０とＣＰＵ２２ａとの間にはヒートパイプ２８が架け渡され、ＣＰＵ２２ａで発生した熱をファンモータ１０によって効率的に排気口２６から外部へと排出可能となっている。ヒートパイプ２８を設けず、ファンモータ１０で発熱体を直接的に冷却する構成としても勿論よい。
【００２７】
表示部１８は、左右一対のヒンジ２９，２９によって本体部１６に対して回動可能に連結された蓋体である。表示部１８は、その内面に液晶表示パネル等のディスプレイを備える。表示部１８は、ヒンジ２９を通過した図示しないケーブルにより、本体基板２２と電気的に接続されている。
【００２８】
キーボード装置１４は、その上面に複数のキーを所定パターンで配列したキートップ群１４ａを有する。キーボード装置１４は、その一側面から引き出された図示しないケーブルにより本体基板２２に対してコネクタ接続される。
【００２９】
次に、ファンモータ１０の構成について説明する。
【００３０】
図２は、ファンモータ１０の斜視図であり、支持体３０をファンモータ１０に取り付ける様子を示す図である。図３は、ファンモータ１０に支持体３０を取り付けた状態での斜視図である。図４は、支持体３０を取り付けたファンモータ１０を電子機器１２に搭載した状態での縦断面図である。
【００３１】
図２〜図４に示すように、ファンモータ１０は、駆動源となるモータ部３２と、モータ部３２によって回転駆動される回転部３４と、回転部３４の外周側に設けられたインペラ部３６とを備えた遠心ファンである。これらモータ部３２、回転部３４及びインペラ部３６は、ファン筐体３８の内部に収容されている。
【００３２】
回転部３４は、有蓋略円筒状に形成されている。回転部３４は、中心に突設されたシャフト４０と、シャフト４０の外周側に設けられた軸受収容部４２と、軸受収容部４２の外周側に設けられたモータ収容部４４とを備える。
【００３３】
シャフト４０は、回転部３４の回転軸となるものであり、ファン筐体３８側に固定された軸受部４６によって回転可能に軸支されている。シャフト４０は、その軸心に軸線方向に沿った貫通孔４０ａが形成された円筒状のシャフトであり、下端側に設けられたワッシャによって軸受部４６から抜け止めされている。貫通孔４０ａには、後述する支持体３０によって支持された支柱５０が挿通される。
【００３４】
軸受収容部４２の下方空間には、軸受部４６が配置されている。軸受部４６は、その内周面でシャフト４０の外周面を回転可能に軸支する軸受け（円筒状部材）４８を備える。軸受け４８は、その外周面が円筒状のスリーブ４９の内周面で保持されている。スリーブ４９は、その外周面が円筒状のブッシュ５２の内周面で保持されている。スリーブ４９及びブッシュ５２は、シャフト４０の下方に配置された有蓋円板状の支持プレート５４の外周側面５４ａと、ファン筐体３８を構成する下カバー板５６の内周側面５６ａとの間に挟持されることでファン筐体３８に固定されている。支持プレート５４の中心には、シャフト４０の貫通孔４０ａと同径又は多少大径の孔部５４ｂが貫通形成されている。
【００３５】
モータ収容部４４には磁石５８が設けられ、モータ収容部４４の下方空間にはコイル６０が配置されている。磁石５８は、回転部３４の外周側面となる円筒部３４ａの内面に周方向に沿って固着されている。コイル６０は、下カバー板５６の内周側面５６ａの外面側で周方向に沿って設けられ、下カバー板５６の上面に固着されている。磁石５８とコイル６０とは、互いに近接した状態で対向配置され、モータ部３２を構成する。
【００３６】
モータ部３２では、磁石５８がモータ部３２の回転子（ロータ）となり、コイル６０がモータ部３２の固定子（ステータ）となる。従って、コイル６０に図示しない電源装置からの電流が通電されると、磁石５８が固着された回転部３４が軸受部４６によって軸支されたシャフト４０を回転軸として、該シャフト４０の軸心を回転中心として回転駆動される。このように、モータ部３２は、アウターロータ型のモータとして構成されている。
【００３７】
インペラ部３６は、回転部３４の円筒部３４ａから径外方向に延在し、モータ部３２によって回転部３４と共にシャフト４０を回転軸とし、該シャフト４０の軸心を回転中心として旋回する。インペラ部３６は、円筒部３４ａから連続して延びた円環プレート状のカップ６２と、カップ６２の外周縁部から径外方向に延びた複数の羽根６４とを備える。
【００３８】
ファン筐体３８は、モータ部３２、回転部３４及びインペラ部３６を収納する。ファン筐体３８は、回転部３４及びインペラ部３６の上面側を覆う上カバー板（第１カバー板）５５と、下面側を覆う下カバー板（第２カバー板）５６と、上カバー板５５と下カバー板５６との間に形成される収納空間の側面を覆う側壁板６６とを有する。
【００３９】
上カバー板５５は、図２に示すように矩形の一方側が円形状に形成された薄板である。上カバー板５５の中央には、回転部３４及びインペラ部３６の一部を露出させるように、その中心がシャフト４０の軸心と同軸上にある円形の開口部５５ａが形成されている。開口部５５ａは、インペラ部３６の回転によって外部の空気をファン筐体３８内へと取込むための空気取込口となる。
【００４０】
下カバー板５６は、平面視で上カバー板５５と重なる外形形状である。下カバー板５６の中央には、内周側面５６ａによって開口部５６ｂが画成されている。上記したように、下カバー板５６は開口部５６ｂの内側に軸受部４６を保持し、その外周側にコイル６０を保持している。
【００４１】
側壁板６６は、平面視で上カバー板５５及び下カバー板５６の外縁部を縁取る略Ｕ字形状の薄板である。側壁板６６は、インペラ部３６の側方を覆うものであり、複数の羽根６４を径外方向から囲むように立脚している。側壁板６６が上カバー板５５及び下カバー板５６とねじ止めやインサート成形によって固定されることにより、薄い箱状のファン筐体３８が形成される。ファン筐体３８では、側壁板６６が配設されていないＵ字の開口側となる位置が送風口２４となる（図４参照）。側壁板６６の外面には、複数（図２では５個）の装着ポケット６８が設けられている。
【００４２】
従って、ファンモータ１０では、モータ部３２によって回転部３４が回転駆動されると、インペラ部３６がシャフト４０の軸心を回転中心として旋回し、空気の流れが発生する。これにより、上カバー板５５の開口部５５ａからファン筐体３８内に取込まれた空気は、送風口２４からファン筐体３８外へと排出され、機器筐体２０の排気口２６から外部に排気されることになる。この際、電子機器１２では、ヒートパイプ２８によって運ばれたＣＰＵ２２ａの熱が送風口２４からの送風によって外部に排出される。
【００４３】
次に、このようなファンモータ１０に取り付けられる支持体３０の構成及びこの支持体３０によって支持された支柱５０の作用について説明する。
【００４４】
図５は、図４に示すファンモータ１０の中央付近を拡大した縦断面図であり、図６は、図５に示すファンモータ１０を搭載した機器筐体２０に外力が付与された状態を示す縦断面図である。
【００４５】
図２〜図４に示すように、支持体３０は、上記したシャフト４０の貫通孔４０ａに挿通される支柱５０を支持するものである。支持体３０は、先端が放射方向に延在するように周方向に複数（図２では５本）配置された脚部７０と、各脚部７０の基端を連結した中央の連結部７２とを有するタコ足状の部材である。
【００４６】
各脚部７０は、その屈曲された先端係合片７０ａが各装着ポケット６８に嵌挿されることにより、ファン筐体３８に取付固定される。連結部７２は、各脚部７０の基端同士を一体的に連結した円形状の部分であり、その中心がシャフト４０の軸線方向と重なるように同軸上に配置される。連結部７２の中心には孔部が形成され、この孔部に支柱５０が下方に向かって突設するように嵌合固定されている。脚部７０の本数は適宜変更可能であり、１本の片持ちで連結部７２を支持してもよい。
【００４７】
このように連結部７２から下方に延在した支柱５０は、シャフト４０の貫通孔４０ａに挿通配置されている。支柱５０は、貫通孔４０ａの軸心と重なることが好ましく、支柱５０の軸心と貫通孔４０ａの軸心とが同軸上にあるとより好ましい。そうすると、回転する貫通孔４０ａの内周面と回転しない支柱５０との接触を確実に避けることができる。支柱５０は、連結部７２と一体的に成形されてもよく、この場合には連結部７２の上面が支柱５０の基端面（上端面）となる。
【００４８】
支柱５０は、図６に示すように、機器筐体２０が外力を受けてある程度潰れ変形した場合に、該機器筐体２０の上壁面（ベースプレート１４ｂ）及び下壁面（ボトムプレート２０ａ）に対して同時に当接可能となる長さ寸法に設定されている。換言すれば、支柱５０は、図５に示すように、機器筐体２０が潰れ変形していない状態では、その上端面及び下端面のうちの少なくとも一方（図５では下端面）が機器筐体２０の壁面（図５では下壁面となるボトムプレート２０ａ）から離間する長さ寸法に設定されている。本実施形態の場合、機器筐体２０の上壁面は、キーボード装置１４の下板となるベースプレート１４ｂの下面であり、機器筐体２０の下壁面は、機器筐体２０の底板となるボトムプレート２０ａの上面となっている。
【００４９】
このような支持体３０は、図５に示すように、外力を受けていない状態では、各脚部７０が径内方向に向かって漸次上方に傾斜した姿勢にある。このため、連結部７２は、各脚部７０によってファン筐体３８の上カバー板５５から離間する方向に付勢・支持され、各脚部７０をばねとしてシャフト４０の軸線方向に弾性的に変位可能な状態にある。この際、連結部７２から突出した支柱５０は、上カバー板５５の開口部５５ａ、シャフト４０の貫通孔４０ａ、及び支持プレート５４の孔部５４ｂを挿通し、その下端面（先端面）が孔部５４ｂの下方に位置すると共に、機器筐体２０のボトムプレート２０ａから離間した位置にある。
【００５０】
一方、図６に示すように、例えばキーボード装置１４が強く押圧操作され、或いは機器筐体２０が手で把持されたことにより、機器筐体２０が潰れ方向にある程度撓むと、撓んだ機器筐体２０のベースプレート１４ｂから連結部７２が下方への押圧力を受ける。そうすると、各脚部７０が弾性的に変形して連結部７２が下方に変位し、支柱５０がその軸線方向で下方に移動する。そして、支柱５０の下端面が機器筐体２０のボトムプレート２０ａに当接すると、支柱５０が機器筐体２０の上壁面及び下壁面に同時に当接した状態となる。これにより、支柱５０が機器筐体２０の上壁面と下壁面との間の突っ張り棒として機能するため、それ以上の機器筐体２０の撓みが阻止される。このため、外力を受けて変形した機器筐体２０が、ファン筐体３８の上カバー板５５に干渉してこれを押圧変形させることが防止される。さらに、変形した機器筐体２０が上カバー板５５の開口部５５ａ内に入り込み、ファンモータ１０の回転部３４やインペラ部３６に直接的に干渉することも防止される。
【００５１】
以上のように、本実施形態に係るファンモータ１０によれば、シャフト４０には、その軸線方向に沿って貫通孔４０ａが設けられており、該貫通孔４０ａには支柱５０が挿通される。これにより、シャフト４０の貫通孔４０ａを挿通した支柱５０を当該ファンモータ１０の上面側及び下面側へと突出させることで、機器筐体２０が外力を受けて潰れ変形した場合にも支柱５０が機器筐体２０に対する突っ張り棒となる。このため、機器筐体２０のそれ以上の撓みが阻止され、機器筐体２０がファン筐体３８、回転部３４及びインペラ部に干渉することが防止される。従って、ファンモータ１０の円滑な回転が阻害され、或いは回転ができなくなり、さらにはファンモータ１０が変形して破損することを防止して、安定した回転を維持することができ、シャフト４０や回転部３４の信頼性を保持することができる。また、機器筐体２０が回転部３４等に干渉することによるノイズの発生も防止できる。
【００５２】
ファンモータ１０が電子機器１２の機器筐体２０の内部に配置された状態で、支柱５０は、シャフト４０の貫通孔４０ａを挿通した状態で当該ファンモータ１０の上面側及び下面側にある機器筐体２０の上下壁面となるベースプレート１４ｂ及びボトムプレート２０ａに対して同時に当接可能である（図６参照）。これにより、支柱５０を機器筐体２０内での突っ張り棒としてより確実に機能させることができる。
【００５３】
この場合、機器筐体２０に外力が付与されていない状態では、支柱５０は少なくとも機器筐体２０の上壁面又は下壁面から離間しており、機器筐体２０に外力が付与されて該機器筐体２０が撓んだ場合に、支柱５０が機器筐体２０の一壁面及び他壁面に対して同時に当接した状態となる。これにより、機器筐体２０に外力が付与されていな通常時には、支柱５０が機器筐体２０の内部で突っ張らないため、ファンモータ１０の機器筐体２０への組付作業時に支柱５０が機器筐体２０と干渉することを回避でき、部品精度がある程度ばらついた場合であっても円滑な組付作業が可能となる。しかも、機器筐体２０が外力を受けて撓んだ際には、支柱５０が機器筐体５０の上壁面及び下壁面に同時に当接し、両壁面間の支柱として確実に機能する。
【００５４】
図７に示すように、機器筐体２０に対する外力の有無にかかわらず、支柱５０は常に機器筐体２０の一壁面及び他壁面に当接している構造としてもよい。この構造の場合には、支持体３０の弾性変位構造を省略しても支柱５０を機器筐体２０内での突っ張り棒として機能させることができるため、ファンモータ１０や支持体３０の構造をより簡素化することができる。
【００５５】
ファンモータ１０は、回転部３４及びインペラ部３６の上面側を覆う上カバー板５５及び下面側を覆う下カバー板５６を有するファン筐体３８を備え、上カバー板５５及び下カバー板５６には、少なくともシャフト４０と重なる位置に開口部５５ａ，５６ｂが形成されており、支柱５０は、これら開口部５５ａ，５６ｂを通って機器筐体２０の壁面に当接する。これにより、機器筐体２０が外力を受けて変形した場合にも、支柱５０によってファン筐体３８に機器筐体２０が干渉することを防止でき、ファンモータ１０の回転をより安定して維持することができる。
【００５６】
支柱５０は、支持体３０を介してファン筐体３８に支持されているため、ファンモータ１０と支柱５０とを一体的に組み立てることができる。これにより、シャフト４０の貫通孔４０ａと支柱５０の位置関係を予め固定することができ、ファンモータ１０を電子機器１２に組み付けた際にもこの位置関係がずれを生じることがなく、ファンモータ１０の組付作業が容易になる。なお、部品の加工精度や組付精度を十分に確保できる場合には、支柱５０を機器筐体２０の上下壁面（ベースプレート１４ｂ又はボトムプレート２０ａ）に直接的に設け、ファンモータ１０を機器筐体２０に組み付ける際に支柱５０を貫通孔４０ａに挿通させるようにしてもよい。この場合には、支持体３０を省略できるため、ファンモータ１０をより低コストで構成できる。
【００５７】
また、このようなファンモータ１０を搭載した電子機器１２では、機器筐体２０の上面側にキーボード装置１４を有し、ファンモータ１０は、支柱５０を含む前記キーボード装置１４の下方となる位置に配設されている。このため、キーボード装置１４の操作時の押圧力が大きく、該キーボード装置１４が下方に撓んだ場合であっても支柱５０の作用によって変形したキーボード装置１４がファンモータ１０に干渉することを防止できるため、ファンモータ１０による冷却が不安定になることがなく、電子機器１２の安定した使用が可能となる。
【００５８】
なお、本発明は、上記した実施形態に限定されるものではなく、本発明の主旨を逸脱しない範囲で自由に変更できることは勿論である。
【符号の説明】
【００５９】
１０  ファンモータ
１２  電子機器
１４  キーボード装置
１４ｂ  ベースプレート
１６  本体部
１８  表示部
２０  機器筐体
２０ａ  ボトムプレート
２２  本体基板
２２ａ  ＣＰＵ
２４  送風口
２６  排気口
２８  ヒートパイプ
３０  支持体
３２  モータ部
３４  回転部
３６  インペラ部
３８  ファン筐体
４０  シャフト
４０ａ  貫通孔
４６  軸受部
５５  上カバー板
５５ａ，５６ｂ  開口部
５６  下カバー板
５８  磁石
６０  コイル
６６  側壁板
６８  装着ポケット
７０  脚部
７２  連結部
【図１】
0005976712.tif 000002
【図２】
0005976712.tif 000003
【図３】
0005976712.tif 000004
【図４】
0005976712.tif 000005
【図５】
0005976712.tif 000006
【図６】
0005976712.tif 000007
【図７】
0005976712.tif 000008